(57)【要約】【課題】遊技領域に打ち込まれた遊技球を捕球可能な捕球手段を、左右方向へ移動させるための駆動機構部の小型化を可能にする。【解決手段】駆動機構部８０は、モータ８１と、モータ８１に連動して前後方向を向く回転軸回りに回転可能な回転板８２と、回転板８２の偏心位置に回動可能に連結され、回転板８２の回動に伴って左右方向へ往復移動可能な第１、２連結レバー８４、８６と、遊技領域内に設けられた垂直プレート２４に前後方向を向く支軸８３１、８５１により枢支されるとともに、回転板８２に連動して左右方向へ往復揺動するように、第１、２連結レバー８４、８６に連結される第１、２平行リンク８３、８５とを備える。捕球手段５０、５１は、第１、２平行リンク８３、８５の揺動端部に支持され、第１、２平行リンク８３、８５の左右方向への往復移動により、遊技領域内を左右方向へ往復移動する。  【選択図】  図４
2008272125.tif 000002
【特許請求の範囲】
【請求項１】
遊技球が打ち込まれる遊技領域に、遊技球を捕球可能な捕球手段を駆動機構部により左右方向へ往復移動可能に設けた弾球遊技機において、
前記駆動機構部は、モータと、前記モータに連動して前後方向を向く回転軸回りに回転可能な回転板と、前記回転板の偏心位置に回動可能に連結され、前記回転板の回動に伴って左右方向へ往復移動可能な連結手段と、前記遊技領域内に設けられた垂直プレートに前後方向を向く支軸により枢支されるとともに、前記回転板に連動して左右方向へ往復揺動するように、前記連結手段に連結される平行リンク手段とを備え、
前記捕球手段は、前記平行リンク手段の揺動端部に支持され、前記平行リンク手段の左右方向への往復揺動により、前記遊技領域内を左右方向へ往復移動することを特徴とする弾球遊技機。
【請求項２】
前記捕球手段は、捕球した遊技球を左右方向へ搬送し、折り返し位置又はその近傍で所定の方向へ向けて排出する動作を行うことを特徴とする請求項１記載の弾球遊技機。
【請求項３】
前記捕球手段は、折り返し位置又はその近傍で、捕球した遊技球を、遊技者に対して有利な特別遊技の権利を発生可能とする特別入賞口へ向けて排出することを特徴とする請求項２記載の弾球遊技機。
【請求項４】
前記連結手段は、前記回転板の前面における偏心位置に回動可能に連結される第１連結レバーと、前記回転板の後面における偏心位置に回動可能に連結される第２連結レバーとを含み、
前記平行リンク手段は、下端部が前記垂直プレートの前面に前後方向を向く第１支軸により枢支され、前記第１連結レバーを介して前記回転板に連結される第１平行リンクと、上端部が前記垂直プレートの後面に前後方向を向く第２支軸により枢支され、前記第２連結レバーを介して前記回転板に連結される第２平行リンクとを含み、
前記捕球手段は、前記第１平行リンクの上端部に支持され、前記第１平行リンクの左右方向への往復揺動により左右方向へ往復移動する第１捕球手段と、前記第２平行リンクの左右方向への往復揺動により左右方向へ往復移動する第２捕球手段とを含むことを特徴とする請求項１〜３のいずれかに記載の弾球遊技機。
【請求項５】
前記第１平行リンクと前記第２平行リンクは、前記第１捕球手段及び前記第２捕球手段を互い違いに左右方向へ移動させるように、左右方向へ往復揺動することを特徴とする請求項４記載の弾球遊技機。
【発明の詳細な説明】
【技術分野】
【０００１】
本発明は、遊技球を遊技領域に打込んで遊技を行う弾球遊技機に関する。
【背景技術】
【０００２】
弾球遊技機においては、遊技球が打ち込まれる遊技領域に、遊技球が通過可能な入賞口を左右方向へ移動可能に設けることによって、遊技球の流下方向を変化させる等して、遊技の興趣を高めるようにしたものがある（例えば、特許文献１）。
【特許文献１】特開２００５−８０７３３号公報
【発明の開示】
【発明が解決しようとする課題】
【０００３】
しかし、上述のような弾球遊技機においては、入賞口を左右方向へ移動させるための構造がラックとピニオンとの噛合により行うものであるため、入賞口の左右方向への移動ストロークによって、ラックの長さが決定される。このため、入賞口の移動ストロークを大きくすると、これに伴って、ラックが左右方向へ長くなり、入賞口を移動させるための駆動機構部が大型化し、限られた狭いスペースに取り付けることができない。また、遊技球が左右方向へ移動する入賞口に入球しても、遊技球の流下方向を変化させるだけであるため、遊技球が入賞口に入球したときの遊技球の動きに面白味が無く、遊技がすぐに飽きられてしまうおそれがある。
【０００４】
本発明は、上述の課題に鑑みてなされたもので、遊技領域に打ち込まれた遊技球を捕球可能な捕球手段を、左右方向へ移動させるための駆動機構部の小型化を可能にした弾球遊技機を提供することを目的とする。
【課題を解決するための手段】
【０００５】
本発明によると、上記課題は、次のようにして解決される。
（１）遊技球が打ち込まれる遊技領域に、遊技球を捕球可能な捕球手段を駆動機構部により左右方向へ往復移動可能に設けた弾球遊技機において、前記駆動機構部は、モータと、前記モータに連動して前後方向を向く回転軸回りに回転可能な回転板と、前記回転板の偏心位置に回動可能に連結され、前記回転板の回動に伴って左右方向へ往復移動可能な連結手段と、前記遊技領域内に設けられた垂直プレートに前後方向を向く支軸により枢支されるとともに、前記回転板に連動して左右方向へ往復揺動するように、前記連結手段に連結される平行リンク手段とを備え、前記捕球手段は、前記平行リンク手段の揺動端部に支持され、前記平行リンク手段の左右方向への往復揺動により、前記遊技領域内を左右方向へ往復移動する。
【０００６】
（２）上記(１)項において、前記捕球手段は、捕球した遊技球を左右方向へ搬送し、折り返し位置又はその近傍で所定の方向へ向けて排出する動作を行う。
【０００７】
（３）上記(２)項において、前記捕球手段は、折り返し位置又はその近傍で、捕球した遊技球を、遊技者に対して有利な特別遊技の権利を発生可能とする特別入賞口へ向けて排出する。
【０００８】
（４）上記(１)〜(３)項のいずれかにおいて、前記連結手段は、前記回転板の前面における偏心位置に回動可能に連結される第１連結レバーと、前記回転板の後面における偏心位置に回動可能に連結される第２連結レバーとを含み、前記平行リンク手段は、下端部が前記垂直プレートの前面に前後方向を向く第１支軸により枢支され、前記第１連結レバーを介して前記回転板に連結される第１平行リンクと、上端部が前記垂直プレートの後面に前後方向を向く第２支軸により枢支され、前記第２連結レバーを介して前記回転板に連結される第２平行リンクとを含み、前記捕球手段は、前記第１平行リンクの上端部に支持され、前記第１平行リンクの左右方向への往復揺動により左右方向へ往復移動する第１捕球手段と、前記第２平行リンクの左右方向への往復揺動により左右方向へ往復移動する第２捕球手段とを含む。
【０００９】
（５）上記(４)項において、前記第１平行リンクと前記第２平行リンクは、前記第１捕球手段及び前記第２捕球手段を互い違いに左右方向へ移動させるように、左右方向へ往復揺動する。
【発明の効果】
【００１０】
本発明によると、次のような効果を奏することができる。
請求項１記載の発明によると、捕球手段を、モータの回転により左右方向へ往復揺動する平行リンク手段の揺動端部に支持して左右方向へ往復移動させるため、捕球手段を左右方向へ往復移動させるための駆動機構部の小型化を図ることができる。
【００１１】
請求項２記載の発明によると、捕球手段は捕球した遊技球を左右方向へ搬送し、折り返し位置又はその近傍で所定の方向へ向けて排出する動作を行うため、遊技者は遊技球が搬送される様子及び排出される様子を見て遊技を楽しむことができ、遊技の興趣をより高めることができる。
【００１２】
請求項３記載の発明によると、遊技球が捕球手段に捕球されることによって、遊技者に対して有利な特別遊技の権利を発生可能とすることができる。
【００１３】
請求項４記載の発明によると、遊技領域内における垂直プレートの前面に、第１連結リンク及び第１平行リンクを設け、また、同じく後面に、第２連結リンク及び第２平行リンクを設けたことにより、駆動機構部の小型化を図り、単一のモータ及び回転板により、第１平行リンク及び第２平行リンクを介して第１捕球手段及び第２捕球手段を同時に左右方向へ移動させることができる。
【００１４】
請求項５記載の発明によると、第１捕球手段及び第２捕球手段が互い違いに左右方向へ移動しながら、遊技領域に打ち込まれた遊技球を捕球する可能性があり、遊技の興趣をより高めることができる。
【発明を実施するための最良の形態】
【００１５】
以下、本発明に係る一実施形態を図面に基づいて説明する。図１は、本発明を適用した弾球遊技機の正面図である。なお、以下の説明においては、図１において図面手前を「前方又は表面」とし、図面奧を「後方又は裏面」とし、左方を「左方」とし、右方を「右方」とする。
【００１６】
図１に示すように、弾球遊技機をなすパチンコ機１は、遊技施設に据付けられる外枠２と、外枠２内に固定され、表面に外側ガイドレール３と内側ガイドレール４とによって包囲された円形状の遊技領域５を形成した遊技盤６と、遊技盤６の表面側にあって、外枠２に開閉可能に支持されたガラス枠扉７とを備えている。
【００１７】
ガラス枠扉７の下方に設けられた球供給皿８に貯留されている遊技球は、ガラス枠扉７の右下に設けられた操作ハンドル９を回動操作することによって、発射装置（図示略）から発射されて、外側ガイドレール３及び内側ガイドレール４により誘導されて遊技領域５内に打込まれ、遊技領域５に植設された多数の遊技釘に当接しながら流下する。なお、遊技釘は図面簡素化のため省略してある 。
【００１８】
遊技領域５のほぼ中央部には、遊技領域５に打込まれた遊技球を内部に受入可能な特別入賞装置２０が配置されている。なお、特別入賞装置２０の内部は、遊技領域５の一部をなす特別遊技領域２１として形成される。特別入賞装置２０の下方には、遊技球が入球可能な第１始動口１０及び左右の第２始動口１１がそれぞれ配置されている。さらに、遊技領域５の最下部には、遊技領域５に打込まれた遊技球を遊技盤６の裏面側に排出するアウト口１２が設けられている。
【００１９】
特別入賞装置２０は、その左側面に設けられた後述の開口３０を開閉可能な羽根部材２２を備え、第１始動口１０又は第２始動口１１に遊技球Ａが入球したことを契機に羽根部材２２が所定回数開閉動作を行う。羽根部材２２が開閉動作しているときは、特別入賞装置２０の開口３０が一旦解放されるため、遊技領域５に打込まれた遊技球Ａは特別遊技領域２１に入球する確率が高くなる。
【００２０】
図２は、特別入賞装置２０の正面図、図３は、図２におけるIII−III線縦断面図である。特別入賞装置２０は、遊技盤６における遊技領域５の中央に固定され、内部に特別遊技領域２１を形成する箱形のハウジング２３を備える。ハウジング２３の左側面には、羽根部材２２により開閉可能な開口３０が設けられている。特別遊技領域２１内における開口３０の直下には、遊技球Ａの通過を検出する入賞センサ３１が配置されている。入賞センサ３１の下方には、右側に向けて下り勾配の誘導路３２及び跳ね上げ式の橋３３が設けられている。誘導路３２の右端部は、前後方向へ貫通した導入口３４を介して、ハウジング２３の右端奥部に配置されたリフト手段（図示略）の下端に通じている。
【００２１】
羽根部材２２が開閉動作しているとき、開口３０に入球した遊技球Ａは、入賞センサ３１、誘導路３２、橋３３及び導入口３４を通ってリフト手段に送られてリフト手段の最上部まで搬送され、そこに設けられた発射装置（図示略）により、ハウジング２３の上部に設けられたガイド用通路４０を通って特別遊技領域２１の最上位置の奥部に配置された椀形の受入容器４１内に向けて発射される。受入容器４１内に入球した遊技球Ａは、受入容器４１の底部に設けた落し孔４２から受入容器４１の下方に設けられた前方へ下り勾配の第１落下ガイド部４３に落下した後、第１ガイド部４３の前端から転がり落ちる。
【００２２】
第１落下ガイド部４３の前端下方には、第１垂直面４５が設けられ、第１垂直面４５の下端には、前方へ下り勾配の第２落下ガイド部４６が設けられ、第２落下ガイド部４６の前端には、第２垂直面４７が設けられている。
【００２３】
第１落下ガイド部４３から落下した遊技球Ａは、後述のように左右方向へ常時往復移動する第１捕球手段をなす特別権利獲得捕球手段５０及び第２捕球手段をなす再抽選捕球手段５１により捕球される可能性があり、これらに捕球されない場合には、第２落下ガイド部４６に落下した後、その前端から転がり落ちて外れ口（図示略）から遊技盤６の裏面側に排出される。
【００２４】
第１垂直面４５の前面には、第１落下ガイド部４３から落下した遊技球Ａを捕球可能な特別権利獲得捕球手段５０が左右方向へ往復移動可能に支持されている。また、第２垂直面４７の前面には、第１落下ガイド部４３から落下した遊技球Ａのうち、特別権利獲得捕球手段５０により捕球されなかった遊技球Ａを捕球可能な再抽選捕球手段５１が左右方向へ往復移動可能に支持されている。なお、特別権利獲得捕球手段５０と再抽選捕球手段は、左右方向へ互い違いに往復移動する。
【００２５】
図４は、特別入賞装置２０内における要部の正面図、図５は、図４におけるＶ−Ｖ線横断面図、図６、７は、特別入賞装置２０における要部の斜視図である。なお、図４は、特別権利獲得捕球手段５０及び再抽選捕球手段５１が折り返し位置直前にあるときの状態である。
【００２６】
特別権利獲得捕球手段５０は、第１落下ガイド部４３から落下した遊技球Ａを捕球可能な補球姿勢を維持しつつ第１垂直面４５の前面に沿って左右方向に往復移動し、また、遊技球Ａを捕球した場合には、遊技球Ａを左右方向へ搬送して図４に示す過程を経て特別入賞装置２０における右端折返し位置（図７参照）又はその近傍に設けられた特別入賞口６０へ向けて排出する動作を後述のようにして行なう。なお、特別入賞口６０内には、遊技球Ａの通過を検出して、後述の特別遊技の権利を発生可能とするセンサが内蔵されている。
【００２７】
再抽選捕球手段５１は、第２ガイド部４６から落下した遊技球Ａを捕球可能な補球姿勢を維持しつつ第２垂直面４５の前面に沿って左右方向へ往復移動し、遊技球Ａを捕球した場合には、遊技球Ａを左右方向へ搬送して特別遊技領域２１の右端折り返し位置近傍に設けられた再抽選用誘導路（図示略）へ向けて排出する動作を後述のようにして行なう。再抽選捕球手段５１から排出された遊技球Ａは、導入口３４の左側方に隣接して開口された再チャレンジ用排出口３５（図２参照）を通って誘導路３２に戻され、再び導入口３４を通って、リフト手段に搬送されて受入容器４１内に戻される。
【００２８】
特別権利獲得捕球手段５０に捕球された遊技球Ａが特別入賞口６０を通過して特別遊技の権利が発生した場合、橋３３は、開口３０から入球した遊技球Ａがリフト手段へ誘導されないように、図２に実線で示す倒伏位置から想像線で示す跳ね上げ位置に回動して誘導路３２の一部を切断する。橋３３が跳ね上げ位置に回動した場合には、遊技球Ａは、橋３３の下方に設けられた後方へ下り勾配のガイド部３３ａに落下して外れ口から遊技盤６の裏面側に排出される。そして、特別遊技の権利が終了した時点で、橋３３は倒伏位置に復帰する。なお、橋３３は、誘導路３２の下方に設けられたソレノイド３３ｂによって回動動作を行なう。
【００２９】
特別権利獲得捕球手段５０及び再抽選捕球手段５１は、ハウジング２３の内部に設けられた駆動機構部８０によりそれぞれ左右方向へ往復移動する。
【００３０】
駆動機構部８０は、ハウジング２３内、すなわち遊技領域４内に設けられた垂直プレート２４の裏面側に取り付けられる正逆回転可能なモータ８１と、垂直プレート２４の右上部に開口された丸孔２４１内に配置され、前後方向を向く回転軸８２３回りにモータ８１に連動して回動可能な回転板８２と、下端部が垂直プレート２４の裏面の下部に前後方向を向く第１支持軸８３１、８３１により左右方向へ揺動可能に枢支された平行リンク手段をなす第１平行リンク８３、８３と、右端部が回転板８２の裏面側に設けられた第１偏心軸部８２１に回動可能に連結され、左端部が第１平行リンク８３の中央部に前後方向を向く第１連結軸８４１により回動可能に連結される連結手段をなす第１連結レバー８４と、垂直プレート２４の前面の上部に前後方向を向く第２支持軸８５１により左右方向へ揺動可能に枢支された平行リンク手段をなす第２平行リンク８５、８５と、右端部が回転板８２の前面側に設けられた第２偏心軸部８２２に回動可能に連結され、左端部が第２平行リンク８５の中央部に前後方向を向く第２連結軸８６１により回動可能に連結される連結手段をなす第２連結レバー８６とを備えている。なお、第１偏心軸部８２１と第２偏心軸８２２は、回転板８２における点対称位置に設けられる。
【００３１】
第１平行リンク８３、８３の上部揺動端には、連結ロッド８３２、８３２が前方へ向けて突設されている。連結ロッド８３２、８３２は、第１平行リンク８３、８３の回動軌跡に応じて垂直プレート２４に設けられた上向き円弧孔２４１及び第１垂直面４５に設けられた上向き円弧孔４５ａを貫通して第１垂直面４５の前方に突出し、その先端に特別権利獲得捕球手段５０が取り付けられる。
【００３２】
第２平行リンク８５、８５の下部揺動端には、連結ロッド８５２、８５２が前方へ向けて突設されている。連結ロッド８５２、８５２は、第２平行リンク８５、８５の回動軌跡に応じて第２垂直面４７に設けられた下向き円弧孔４７ａを貫通して第２垂直面４７の前方に突出し、その先端に再抽選捕球手段５１が取り付けられている。
【００３３】
回転板８２がモータ８１により所定方向へ回転すると、各連結レバー８４、８６が左右方向へ互い違いに移動し、これに連動して、各平行リンク８３、８５は、左右方向へ互い違いに揺動する。これにより、特別権利獲得捕球手段５０及び再抽選捕球手段５１は、第１垂直面４５及び第２垂直面４７に沿って、左右方向へ互い違いに移動する。
【００３４】
なお、特別権利獲得捕球手段５０及び再抽選捕球手段５１の移動過程の中間付近において、第１平行リンク８３、８３と第２平行リンク８５、８５、及び特別権利獲得捕球手段５０と再抽選捕球手段５１がそれぞれ互いに交叉することになるが、第１平行リンク８３、８３と第２平行リンク８５、８５は、それぞれ垂直プレート２４の表裏に設けられるため、互いに干渉することがない。また、特別権利獲得捕球手段５０と再抽選捕球手段５１は、交叉位置において上下方向に最も離れた位置となるため、互いに干渉することがない。
【００３５】
図８に示すように、回転板８２における裏面側の点対称位置には、検出部８２４ａ、８２４ｂが後方へ向けて突設されている。検出部８２４ａ、８２４ｂが、垂直プレート２４の裏面側に取り付けられたセンサ８１１によりに検出されることにより、モータ８１の回転は反転制御される。すなわち、例えば、図６に示すように、特別権利獲得捕球手段５０が左折り返し位置、又再抽選捕球手段５１が右折り返し位置にそれぞれ達すると、一方の検出部８２４ａがセンサ８１１により検出されて、モータ８１の回転方向は反転制御され、又、特別権利獲得捕球手段５０が右折り返し位置、又再抽選捕球手段５１が左折り返し位置にそれぞれ達すると、他方の検出部８２４ｂがセンサ８１１により検出されて、モータ８１の回転方向は反転制御される。
【００３６】
図９は、特別権利獲得捕球手段５０及び再抽選捕球手段５１における捕球姿勢時の正面図、図１０は、同じく遊技球を捕球した状態の正面図、図１１は、同じく排出姿勢時の正面図である。
【００３７】
特別権利獲得捕球手段５０は、第１平行リンク８３、８３の上部揺動端に支持される背面板５０２と、背面板５０２の前面に枢着される捕球部材５０３及び係合部材５０１と、捕球部材５０３及び係合部材５０１の前側に設けられる前面板５０４（図６、７においては省略）とを備えている。また、再抽選捕球部材５１は、特別権利獲得捕球手段５０と同一構成を有して、第２平行リンク８５、８５の下部揺動端に支持される。なお、特別権利獲得捕球手段５０及び再抽選捕球手段５１は、互いに同一構造であるため、以下、特別権利獲得捕球手段５０を代表して、その構造及び作用を説明し、再抽選捕球手段５１については、特別権利獲得捕球手段５０のものと同一符号を付して詳細な説明は省略する。
【００３８】
特別権利獲得捕球手段５０の背面板５０２の背面は、第１平行リンク８３、８３の上端部に突設された連結ロッド８３２、８３２の先端部に枢支され、これによって左右移動時において常時水平に保たれる。
【００３９】
特別権利獲得捕球手段５０の捕球部材５０３は、背面板５０２に前後方向を向く枢軸５０６により枢着されるとともに、上面に設けた凹湾曲形状の捕球部５０３ａが上方を向いて遊技球Ａを捕球可能な捕球姿勢（主に図９、１０参照）と、捕球した遊技球Ａを捕球部５０３ａから排出可能なように右方へ傾く排出姿勢（主に図１１参照）とに回動可能である。
【００４０】
特別権利獲得捕球手段５０の捕球部材５０３の右端部には、下向きの爪部５０３ｂが設けられ、また、同じく左端部には、第１の錘５０７が固着されている。第１の錘５０７は、捕球部材５０３に対して、図９〜図１１において反時計方向、すなわち捕球姿勢に向けて回転モーメントを付与する。これにより、捕球部材５０３は、捕球部５０３ａに遊技球Ａを捕球していないとき、主に図９に示すように、背面板５０２に設けたストッパ５０２ａに当接することにより捕球姿勢に停止し、また、捕球部５０３ａに遊技球Ａを捕球した状態で、主に図１１に示すように、係合部材５０１が離脱姿勢に変位すると、遊技球Ａの自重により、第１の錘５０７に抗して時計方向へ回動して捕球姿勢から排出姿勢に変位する。なお、捕球部５０３ａは、捕球した遊技球Ａの重心が枢軸５０６の中心より右方へ偏倚するような位置に設けられる。
【００４１】
特別権利獲得捕球手段５０の係合部材５０１は、背面板５０２に前後方向を向く枢軸５０８により枢着されるとともに、上端部に設けた段付き状の抑え部５０１ａが捕球部材５０３の爪部５０３ｂに係合し、捕球部材５０３の捕球姿勢から排出姿勢への変位を阻止する係合姿勢（主に図９、１０参照）と、係合姿勢から反時計方向へ回動し、抑え部５０１ａが捕球部材５０３の爪部５０３ｂから離脱して捕球部材５０３の捕球姿勢から排出姿勢への変位を可能にする離脱姿勢（主に図１１参照）とに回動可能である。
【００４２】
係合部材５０１の右下端部には、係合部材５０１に対して図９〜図１１において時計方向、すなわち係合姿勢へ向けて回転モーメントを付与する第２の錘５０９が設けられている。これにより、係合部材５０１は、特別権利獲得捕球手段５０が右端折り返し位置以外の領域にあるとき、背面板５０２に設けたストッパ５０２ｂに当接することにより係合姿勢に停止し、また、特別権利獲得捕球手段５０が右端折り返し位置又はその近傍に達したとき、その後面に突設された突軸５０１ｂが係合部材５０１の移動軌跡に設けられた第１突起７０（再抽選捕球手段５１においては第２突起７１）に当接することにより、第２の錘５０９が付与する回転モーメントに抗して反時計方向へ回動して、図１１に示す離脱姿勢に変位する。なお、捕球部材５０３が遊技球Ａを捕球していない状態においては、係合部材５０１が離脱姿勢に変位しても、捕球部材５０３は、第１の錘５０７により捕球姿勢に保持されたままである。
【００４３】
上述のように作用する第１の錘５０７及び第２の錘５０９を、捕球部材５０３及び係合部材５０１にそれぞれ設けることにより、捕球部材５０３を排出姿勢から捕球姿勢へ変位させるための動力、及び係合部材５０１を離脱姿勢から係合姿勢へ変位させるための動力を別途必要としないため、特別権利獲得捕球手段５０及び再抽選捕球手段５１の構造を簡単にすることができる。
【００４４】
次に、本実施形態において主に特別遊技領域２１内に入球した遊技球Ａの流れについて説明する。
遊技球Ａが第１始動口１０又は第２始動口１１に入球したことに基づいて、羽根部材２２が開閉動作しているとき、遊技球Ａが開口３０から特別遊技領域２１内に入球すると、その遊技球Ａは、入賞センサ３１、誘導路３２、橋３３、導入口３４、リフト手段及びガイド用通路４０を通って受入容器４１内に誘導され、受入容器４１の底部に設けた落し孔４２から第１落下ガイド部４３上に落下して、第１落下ガイド部４３の前端から転がり落ちる。
【００４５】
第１落下ガイド部４３から転がり落ちた遊技球Ａは、左右方向へ常時往復移動している特別権利獲得捕球手段５０の捕球部材５０３によって捕球される可能性がある。遊技球Ａが捕球されない場合には、第２落下ガイド部４６上に落下して、第２落下ガイド部４６の前端から転がり落ちる。
【００４６】
特別権利獲得捕球手段５０の捕球部材５０３により遊技球Ａが捕球された場合には、捕球部材５０３は、図１０に示すように、その爪部５０３ｂが係合姿勢にある係合部材５０１の抑え部５０１ａに係合しているため、捕球姿勢のまま遊技球Ａを捕球部５０３ａに保持して左右方向へ搬送する。そして、特別権利獲得捕球手段５０が右端折り返し位置又はその近傍に達すると、図１１に示すように、係合部材５０１は、その突軸５０１ｂが第１垂直面４５に設けた第１突起７０に当接することにより、係合姿勢から離脱姿勢に回動する。これにより、捕球部材５０３は、遊技球Ａの自重により第１の錘５０７に抗して、捕球姿勢から排出姿勢へ回動して、遊技球Ａを捕球部５０３ａから右方、すなわち特別入賞口６０へ向けて排出する。
【００４７】
このように、遊技球Ａが特別権利獲得捕球手段５０により捕球された場合には、遊技球Ａが特別権利獲得捕球手段５０により搬送されて左右方向へ移動した後、特別入賞口６０へ向けて排出されるため、遊技者は、遊技球Ａが特別権利獲得捕球手段５０に捕球されたときの左右方向への移動及び排出される動きを見て遊技を楽しむことができる。
【００４８】
遊技球Ａを排出した捕球部材５０３は、空荷状態となるため、第１の錘５０７により排出姿勢から捕球姿勢に復帰回動する。また、特別権利獲得捕球手段５０が右端折り返し位置からその移動方向を反転して左方へ移動して、第１突起７０が係合部材５０１から離れると、係合部材５０１は、第２の錘５０９により離脱姿勢から係合姿勢に復帰回動する。
【００４９】
捕球部材５０３から排出された遊技球Ａは、特別入賞口６０を通過して遊技盤６の裏面に排出される。特別入賞口６０が遊技球Ａの通過を検出すると、それを契機に、特別権利発生信号を遊技盤６の裏面に設けられた制御回路部（図示略）に送信する。そして、制御回路部は、特別権利発生権利信号を入力することによって、遊技を遊技者にとって有利な特別遊技の権利を発生させ、遊技状態を特別遊技状態に移行させる。
【００５０】
特別遊技状態となった場合には、例えば羽根部材２２が所定回数開閉動作を繰返すか、あるいは遊技球Ａが特定遊技領域２１内に所定数（例えば１０個）入球するまで繰返される動作が、複数ラウンドに亘って繰返され、遊技者に対して短時間に大量の賞球、すなわち遊技価値を付与することとなる。この特別遊技状態の期間は、橋３３が跳ね上げ位置に移動しているため、羽根３３の状態を見ても特別遊技状態であることを目視することができる。
【００５１】
また、第１落下ガイド部４３から落下した遊技球Ａのうち、特別権利獲得捕球手段５０に捕球されなかった遊技球Ａは、第２落下ガイド部４６上に落下して、その前端から転がり落ち、今度は、再抽選捕球手段５１により捕球される可能性がある。遊技球Ａが捕球されない場合には、排出ガイド部４８に落下して遊技盤３の裏面側に排出される。
【００５２】
再抽選捕球手段５１の捕球部材５０３により遊技球Ａが捕球された場合には、再抽選捕球手段５１が遊技球Ａを左右方向へ搬送しつつ右端折り返し位置又はその近傍に達すると、第２垂直面４７に設けた第２突起７１が、再抽選捕球手段５１における係合部材５０１の突軸５０１ｂに当接することによって、前述の特別権利獲得捕球手段５０と同様な動作をもって、捕球部材５０３が捕球姿勢から排出姿勢に回動する。そして、捕球部材５０３に捕球された遊技球Ａは、再チャレンジ用排出口３５から誘導路３２に戻され、上述のように再び受入容器４１内に誘導されることにより、再度、特別権利獲得捕球手段５０に捕球されるチャンスが得られる。
【００５３】
以上、本発明の実施形態について説明したが、本発明の要旨を逸脱しない範囲内で、本実施形態に対して、次のような種々の変形や変更を施すことが可能である。
（ｉ）各捕球手段５０、５１を遊技領域５に左右方向へ往復移動可能に設ける。
（ii）特別遊技の権利が発生した場合、羽根部材２２を開閉動作させるものに代えて、遊技球Ａが入球可能な大入賞口を所定時間開放する。
（iii）特別権利獲得捕球手段５０又は再抽選捕球手段５１のいずれか一方を、特別遊技領域２１又は遊技領域５に設ける。
【図面の簡単な説明】
【００５４】
【図１】本発明に係る弾球遊技機の正面図である。
【図２】特別入賞装置の正面図である。
【図３】図２におけるIII−III線縦断面図である。
【図４】特別入賞装置内における要部の正面図である。
【図５】図４におけるＶ−Ｖ線横断面図である。
【図６】特別入賞装置における要部の斜視図である。
【図７】特別入賞装置における要部の斜視図である。
【図８】モータ及びその近傍の斜視図である。
【図９】捕球手段における捕球姿勢時の正面図である。
【図１０】捕球手段における遊技球を捕球した状態の正面図である。
【図１１】捕球手段における排出姿勢時の正面図である。
【符号の説明】
【００５５】
１  弾球遊技機
２  外枠
３  外側ガイドレール
４  内側ガイドレール
５  遊技領域
６  遊技盤
７  ガラス枠扉
８  球供給皿
９  操作ハンドル
１０  第１始動口
１１  第２始動口
１２  アウト口
２０  特別入賞装置
２１  特別遊技領域
２２  羽根部材
２３  ハウジング
２４  垂直プレート
３０  開口
３１  入賞センサ
３２  誘導路
３３  橋
３３ａ  ガイド部
３３ｂ  ソレノイド
３４  導入口
３５  再チャレンジ用排出口
４０  ガイド用通路
４１  受入容器
４２  落し孔
４３  第１落下ガイド部
４５  第１垂直面
４５ａ  上向き円弧孔
４６  第２落下ガイド部
４７  第２垂直面
４７ａ  下向き円弧孔
５０  特別権利獲得捕球手段（第１捕球手段）
５１  再抽選捕球手段（第２捕球手段）
６０  特別入賞口
７０  第１突起
７１  第２突起
８０  駆動機構部
８１  モータ
８２  回転板
８３  第１平行リンク（平行リンク手段）
８４  第１連結レバー（連結手段）
８５  第２平行リンク（平行リンク手段）
８６  第２連結レバー（連結手段）
２４１  上向き円弧孔
２４２  丸孔
５０１  係合部材
５０１ａ  抑え部
５０１ｂ  突軸
５０２  背面板
５０２ａ、５０２ｂ  ストッパ
５０３  捕球部材
５０３ａ  捕球部
５０３ｂ  爪部
５０４  前面板
５０６  枢軸
５０７  第１の錘
５０８  枢軸
５０９  第２の錘
８１１  センサ
８２１  第１偏心軸部
８２２  第２偏心軸部
８２３  回転軸
８２４ａ、８２５ｂ  検出部
８３１  第１支持軸
８３２  連結ロッド
８４１  第１連結軸
８５１  第２支持軸
８５２  連結ロッド
８６１  第２連結軸
Ａ  遊技球
【図１】
2008272125.tif 000003
【図２】
2008272125.tif 000004
【図３】
2008272125.tif 000005
【図４】
2008272125.tif 000006
【図５】
2008272125.tif 000007
【図６】
2008272125.tif 000008
【図７】
2008272125.tif 000009
【図８】
2008272125.tif 000010
【図９】
2008272125.tif 000011
【図１０】
2008272125.tif 000012
【図１１】
2008272125.tif 000013